(57)【特許請求の範囲】
【請求項１】
上枠、下枠、左縦枠および右縦枠から構成される建具本体と、
前記建具本体に開閉可能に保持される開閉部材と、
前記開閉部材を電動で駆動して開閉させる駆動ユニットと、
前記駆動ユニットを制御する制御部と、を備え、
前記建具本体を構成する前記上枠、前記下枠、前記左縦枠および前記右縦枠のうち、少なくとも１つの枠は第１空洞部を有し、それ以外の枠のうち、少なくとも１つの枠は第２空洞部を有し、
前記駆動ユニットは、前記第１空洞部に内蔵され、
前記制御部は、前記第２空洞部に内蔵され、
前記駆動ユニットと前記制御部は配線によって接続されることを特徴とする電動建具。
【発明の詳細な説明】
【技術分野】
【０００１】
本発明は、電動で開閉可能な窓などの電動建具に関する。
【背景技術】
【０００２】
建物の開口部に備えられる窓、オーニング、ルーバー等の建具は、開閉をすることにより、外気との連通及び遮断、又は遮光及び採光を選択することができるように構成されている。近年においては、各種分野において電動化が進み、建具についても電動で開閉させることができるものが増えてきている。特に環境負荷を考慮しつつ住宅内環境を自動的に制御し、環境と快適とを両立させるようなシステムを構築するに際して、電動化された建具（以下、「電動建具」と呼ぶ）の役割はさらに大きなものとなる。
【先行技術文献】
【特許文献】
【０００３】
【特許文献１】特開２０１３−５０００１号公報
【発明の概要】
【発明が解決しようとする課題】
【０００４】
電動建具には、電動化するために開閉部材を開閉させる駆動用のモータ、該モータからの駆動力を開閉部材に伝達する機構（動力伝達機構）、リモコンからの開閉信号を受信してモータを制御する制御基板などが備えられることが通常である。
【０００５】
しかしながら、従来の電動建具においてはこれらの構成要素が建具本体に露出する形で設けられているケースがあり、建物開口部からの眺望性を阻害するおそれがあった。
【０００６】
本発明は、上記課題に鑑みてなされたものであり、その主たる目的は、建物開口部からの眺望性を向上した電動建具を提供することにある。
【課題を解決するための手段】
【０００７】
上記課題を解決するために、本発明のある態様の電動建具は、建具本体と、建具本体に開閉可能に保持される開閉部材と、開閉部材を電動で駆動して開閉させる駆動ユニットと、を備える。建具本体は、空洞部を有する。駆動ユニットは、空洞部に内蔵される。
【０００８】
この態様によると、駆動ユニットを建具本体に内蔵したことにより、これらが露出している場合と比較して建物開口部からの眺望性を向上することができる。
【０００９】
駆動ユニットは、モータと、モータの回転を減速する減速機と、回転運動を直線運動に変換して、建具本体と開閉部材とをつなぐアームを伸縮する直動機構とを含む駆動部を備えてもよい。モータ、減速機および直動機構は、建具本体の延長方向に沿って一列に配置されてもよい。この場合、建具本体の空洞部内への収容に適した細幅長尺状の駆動部を実現できる。
【００１０】
駆動ユニットは、リモコンからの開閉指示信号を受信して、開閉指示信号に応じてモータの回転を制御する制御部を備えてもよい。制御部は、建具本体の上枠または下枠に設けられた空洞部に内蔵されてもよい。この場合、リモコンからの開閉信号の受信可能範囲が広がるため、リモコンでの操作性を向上することができる。
【００１１】
駆動部は、建具本体の縦枠に設けられた空洞部に内蔵されてもよい。駆動部を縦枠内に設け、制御部を上枠または下枠内に設けた場合には、駆動部と制御部とが異なる枠に内蔵されることとなるため、小型の建具であっても駆動部および制御部の内蔵が可能となる。
【発明の効果】
【００１２】
本発明によれば、建物開口部からの眺望性を向上した電動建具を提供できる。
【図面の簡単な説明】
【００１３】
【図１】本発明の実施形態に係る電動建具を室外側から見た概略分解斜視図である。
【図２】障子の下端部の概略拡大斜視図である。
【図３】本発明の実施形態に係る電動建具の窓枠を室内側から見た概略分解斜視図である。
【図４】図３に示す電動建具におけるＡ部の概略拡大斜視図である。
【図５】本発明の実施形態に係る駆動部の概略斜視図である。
【発明を実施するための形態】
【００１４】
以下、図面を参照して本発明の実施形態に係る電動建具について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１５】
図１は、本発明の実施形態に係る電動建具１０を室外側から見た概略分解斜視図である。本実施形態に係る電動建具１０は、建物の開口部に備えられる横すべり出し窓である。図１に示すように、電動建具１０は、建具本体としての窓枠１２と、開閉部材としての障子１４とを備える。障子１４は、ガラス１５を保持しており、窓枠１２に開閉可能に保持される。
【００１６】
本実施形態では電動建具１０として、横すべり出し窓を例示しているが、本発明の電動建具は必ずしも横すべり出し窓に限定されず、縦すべり出し窓、押し出し窓、戸、ルーバー、シャッターなどの開閉部材が備えられる建具に適用することができる。また、本実施形態では、建具本体として窓枠１２を例示し、開閉部材として障子１４を例示しているが、建具本体は例えば戸枠、ルーバー枠、シャッター枠などであってもよく、開閉部材は例えば戸、ルーバー、シャッターなどであってもよい。
【００１７】
図１に示すように、障子１４の上端部は、ステー１６を介して窓枠１２の内側上端部に回転可能に支持される。図２は、障子１４の下端部の概略拡大斜視図である。図２に示すように、障子１４の下端部は、オペレータアーム２０を介して窓枠１２の内側下端部に支持される。後述するように、本実施形態に係る電動建具１０は、障子１４を電動で駆動して開閉させる駆動ユニットを備える。この駆動ユニットは、モータ、減速機および直動機構から構成される駆動部と、リモコン（図示せず）からの開閉指示信号を受信して、開閉指示信号に応じてモータの回転を制御する制御部とを備える。駆動ユニットを用いてオペレータアーム２０を伸縮させることにより、窓枠１２に対して障子１４を開閉することができる。これにより、例えば窓枠１２が人手による開閉が困難な床から高い位置に設けられているような場合でも、容易に障子１４の開閉を行うことができる。
【００１８】
図３は、本発明の実施形態に係る電動建具１０の窓枠１２を室内側から見た概略分解斜視図である。また、図４は、図３に示す電動建具１０におけるＡ部の概略拡大斜視図である。
【００１９】
図３に示すように、窓枠１２は、上枠１２ａと、下枠１２ｂと、左縦枠１２ｃと、右縦枠１２ｄとから構成される。上枠１２ａ、下枠１２ｂ、左縦枠１２ｃおよび右縦枠１２ｄは、ねじ１３によって固定される。下枠１２ｂの両端には、オペレータアーム２０が設けられている。
【００２０】
図３および図４に示すように、本実施形態に係る電動建具１０においては、左縦枠１２ｃおよび右縦枠１２ｄの下端部に第１空洞部２２が形成されている（図３および図４では、左縦枠１２ｃの第１空洞部２２のみ図示している）。この第１空洞部２２は、略直方体形状の空洞であり、窓枠１２の内側に開口している。
【００２１】
第１空洞部２２には、駆動部２４が内蔵される。駆動部２４は、モータ、減速器および直動機構を一体化したものであり、略直方体形状をなしている。駆動部２４は、オペレータアーム２０に連結されており、オペレータアーム２０を伸縮可能に構成される。
【００２２】
駆動部２４の外寸は、第１空洞部２２の内寸よりも小さく形成されており、第１空洞部２２内に収容可能となっている。駆動部２４には、左縦枠１２ｃおよび右縦枠１２ｄと同じ材料および色で形成された化粧板２６が設けられている。駆動部２４は、化粧板２６が第１空洞部２２の開口を塞ぐようにして、ねじ２５により第１空洞部２２内に固定される。
【００２３】
さらに本実施形態に係る電動建具１０においては、図３に示すように、上枠１２ａに第２空洞部２８が形成されている。この第２空洞部２８もまた、略直方体形状の空洞であり、窓枠１２の内側に開口している。
【００２４】
第２空洞部２８には、制御部３０が内蔵される。制御部３０は、リモコンからの開閉指示信号を受信する受信基板、開閉指示信号に応じてモータの回転を制御する制御基板、および電源基板などから構成される。第２空洞部２８の開口もまた、化粧板により塞がれてよい。制御部３０と駆動部２４は、配線（図示せず）によって接続される。この配線は、窓枠１２内を通っていてもよいし、窓枠１２が取り付けられる建物の壁内を通っていてもよい。
【００２５】
以上のように、本実施形態に係る電動建具１０においては、窓枠１２の左縦枠１２ｃおよび右縦枠１２ｄに第１空洞部２２を形成し、該第１空洞部２２に駆動部２４を内蔵した。また、窓枠１２の上枠１２ａに第２空洞部２８を形成し、該第２空洞部２８に制御部３０を内蔵した。このように駆動部２４および制御部３０を窓枠１２に内蔵したことにより、これらが露出している場合と比較して建物開口部からの眺望性を向上することができる。また、外観がすっきりとするため、意匠性を向上することができる。さらに、埃が蓄積しにくいので、掃除が容易となる利点もある。
【００２６】
また、本実施形態に係る電動建具１０においては、駆動部２４と制御部３０とを異なる枠に内蔵した。すなわち、駆動部２４を左縦枠１２ｃおよび右縦枠１２ｄに内蔵し、制御部３０を上枠１２ａに内蔵した。このような構成をとることにより、窓枠１２の延長方向の長さを短くすることができるので、小型の建具であっても窓枠１２に駆動部２４および制御部３０を内蔵できる。
【００２７】
また、本実施形態に係る電動建具１０においては、窓枠１２の上枠１２ａに制御部３０を内蔵する構成とした。これにより、リモコンからの開閉信号の受信可能範囲が広がるため、リモコンでの操作性を向上することができる。なお、本実施形態では、窓枠１２の上枠１２ａに制御部３０を内蔵したが、例えば窓枠１２が人手による開閉が困難な床から低い位置に設けられているような場合には、窓枠１２の下枠１２ｂに空洞部を形成し、該空洞部に制御部３０を内蔵してもよい。この場合も、リモコンからの開閉信号の広い受信可能範囲を確保でき、リモコンでの操作性を向上することができる。
【００２８】
図５は、本発明の実施形態に係る駆動部２４の概略斜視図である。図５に示すように、駆動部２４は、モータ３２と、モータ３２の回転を減速する減速機３４と、回転運動を直線運動に変換して、建具本体と開閉部材とをつなぐアームを伸縮する直動機構３６とを含んで構成される。モータ３２は、上枠１２ａの第２空洞部２８に内蔵された制御部３０に電気的に接続されており、制御部３０から電力の供給を受けて回転する。減速機３４は、例えば、遊星歯車機構を用いた減速機であってよい。直動機構３６は、図５に示すように、ボールねじ３８を用いた直動機構であってよい。
【００２９】
本実施形態においては、図５に示すように、モータ３２、減速機３４および直動機構３６は、窓枠１２の縦枠の延長方向に沿って一列に配置される。このような構成とすることにより、縦枠の第１空洞部２２内への収容に適した細幅長尺状の駆動部２４を実現できる。
【００３０】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３１】
１０  電動建具、  １２  窓枠、  １２ａ  上枠、  １２ｂ  下枠、  １２ｃ  左縦枠、  １２ｄ  右縦枠、  １４  障子、  ２０  オペレータアーム、  ２２  第１空洞部、  ２４  駆動部、  ２８  第２空洞部、  ３０  制御部、  ３２  モータ、  ３４  減速機、  ３６  直動機構。
【図１】
0006320890.tif 000002
【図２】
0006320890.tif 000003
【図３】
0006320890.tif 000004
【図４】
0006320890.tif 000005
【図５】
0006320890.tif 000006